(57)【要約】【課題】装置構成をコンパクトにしつつ大量の被洗浄物を効率的に処理する洗浄装置を提供する。【解決手段】洗浄装置１００は、洗浄槽１３０内に第１外筒体１１０と、この洗浄槽１３０の下方に配置された乾燥槽１６０内に第２外筒体１４０とを備えている。第１外筒体１１０および第２外筒体１４０は、メッシュ材で構成された外筒本体１１１，１４１内にらせん状の往路搬送羽１１３，１４３および内筒体１２０，１５０を備えている。内筒体１２０，１５０は、メッシュ材で構成された内筒本体１２１，１５１内にらせん状の復路搬送羽１２６，１５６を備えている。これらの第１外筒体１１０および第２外筒体１４０内には、外筒本体１１１，１４１と内筒本体１２１，１５１との間にらせん状の内筒案内路１１５，１４５が設けられている。外筒本体１１１，１４１における一方の端部には、コインからなる被洗浄物ＷＫを受け入れる投入口１１１ｃ，１４１ｃが設けられている。【選択図】  図１
2015208730.tif 000002
【特許請求の範囲】
【請求項１】
筒体の一方の端部側に被洗浄物を受け入れる投入口が設けられるとともに同一方の端部側から他方の端部側に向かって前記被洗浄物を搬送するための往路搬送羽が前記筒体の内周面にらせん状に設けられた外筒体と、
前記外筒体に一体的に形成されて前記外筒体内を同外筒体に沿って延びる筒体の前記外筒体における前記他方側に前記被洗浄物を受け入れる受入口が形成された内筒体と、
前記外筒体を回転駆動する筒体回転駆動手段と、
前記往路搬送羽によって前記外筒体内を搬送された前記被洗浄物を前記内筒体の前記受入口に導く内部搬送手段とを備えることを特徴とする洗浄装置。
【請求項２】
請求項１に記載した洗浄装置において、
前記内部搬送手段は、
前記往路搬送羽における前記他方側の端部と前記内筒体における前記受入口とを前記外筒体の回転方向に沿ってらせん状に繋ぐ内筒案内路で構成されていることを特徴とする洗浄装置。
【請求項３】
請求項２に記載した洗浄装置において、
前記内筒案内路における幅方向両端部に前記往路搬送羽と前記内筒体における前記受入口との間に沿って前記内筒案内路の路面に対して起立する規制壁をそれぞれ備えることを特徴とする洗浄装置。
【請求項４】
請求項１ないし請求項３のうちのいずれか１つに記載した洗浄装置において、
前記外筒体および前記内筒体の少なくとも一方は、
筒体側面がメッシュまたは多数の貫通孔が形成されたパンチングプレートで構成されていることを特徴とする洗浄装置。
【請求項５】
請求項１ないし請求項４のうちのいずれか１つに記載した洗浄装置において、
前記内筒体は、
前記外筒体における前記他方側から前記一方側に向かって前記被洗浄物を搬送するための復路搬送羽が内周面にらせん状に設けられていることを特徴とする洗浄装置。
【請求項６】
請求項１ないし請求項５のうちのいずれか１つに記載した洗浄装置において、
前記内筒体を有する前記外筒体を複数備え、
前記複数の外筒体のうちの２つの外筒体間で、一方の前記外筒体である第１外筒体における前記内筒体から排出される前記被洗浄物を他方の前記外筒体である第２外筒体に導く外部搬送手段を備えることを特徴とする洗浄装置。
【請求項７】
請求項６記載した洗浄装置において、
前記第１外筒体における前記内筒体よりも下方の部分を洗浄液に浸漬するための洗浄槽と、
前記第２外筒体内の前記被洗浄物を乾燥させる乾燥手段とを備え、
前記第１外筒体は、
前記洗浄槽に収容された状態で前記第２外筒体よりも上方に配置されており、
前記第２外筒体は、
前記第１外筒体の下方に配置されており、
前記外部搬送手段は、
前記第１外筒体における前記内筒体から自由落下する前記被洗浄物を受け入れて前記第２外筒体に導くことを特徴とする洗浄装置。
【発明の詳細な説明】
【技術分野】
【０００１】
本発明は、多数の物品を連続的に洗浄することができる洗浄装置に関する。
【背景技術】
【０００２】
従来から、機械部品（例えば、ネジ、リベット、歯車など）、金属球（例えば、パチンコ玉、ボールペンのペン先の鋼球など）または円板体（コイン、硬貨、メダルなど）などの手で把持できる程度の大きさの小物物品を被洗浄物として連続的に洗浄する洗浄装置がある。例えば、下記特許文献１には、洗浄液で満たされる筒体内に被洗浄物であるメダルを筒体内の一方端から他方端に向けて搬送する搬送羽が設けられたメダル洗浄部を備える洗浄装置が開示されている。
【先行技術文献】
【特許文献】
【０００３】
【特許文献１】特開２００５−１２５０２６号公報
【０００４】
しかしながら、上記特許文献１に代表される洗浄装置においては、常に大量の被洗浄物の効率的な処理および装置構成のコンパクト化が求められるものである。
【０００５】
本発明は上記問題に対処するためなされたもので、その目的は、装置構成をコンパクトにしつつ大量の被洗浄物を効率的に処理することができる洗浄装置を提供することにある。
【発明の概要】
【０００６】
上記目的を達成するため、本発明の特徴は、筒体の一方の端部側に被洗浄物を受け入れる投入口が設けられるとともに同一方の端部側から他方の端部側に向かって被洗浄物を搬送するための往路搬送羽が筒体の内周面にらせん状に設けられた外筒体と、外筒体に一体的に形成されて外筒体内を同外筒体に沿って延びる筒体の外筒体における前記他方側に被洗浄物を受け入れる受入口が形成された内筒体と、外筒体を回転駆動する筒体回転駆動手段と、往路搬送羽によって外筒体内を搬送された被洗浄物を内筒体の受入口に導く内部搬送手段とを備えることにある。この場合、被洗浄物としては、機械部品（例えば、ネジ、リベット、歯車など）、金属球（例えば、パチンコ玉、ボールペンのペン先の鋼球など）または円板体（コイン、硬貨、メダルなど）などの手で把持できる程度の大きさの小物物品がある。
【０００７】
このように構成した本発明の特徴によれば、洗浄装置は、被洗浄物が投入される外筒体内に内部搬送手段を介して内筒体が設けられているため、被洗浄物は外筒体内の搬送された後内筒体内を搬送されることになる。すなわち、洗浄装置は、被洗浄物の搬送路を多重管構造とすることによって被洗浄物の搬送路の設置スペースの増大を抑えつつ被洗浄物の搬送路を延長することができる。この場合、洗浄装置は、延長した被洗浄物の搬送路を被洗浄物の洗浄工程や同洗浄工程後の乾燥工程に用いることができる。これにより洗浄装置は、装置構成をコンパクトにしつつ大量の被洗浄物を効率的に処理することができる。
【０００８】
また、本発明の他の特徴は、前記洗浄装置において、内部搬送手段は、往路搬送羽における前記他方側の端部と内筒体における受入口とを外筒体の回転方向に沿ってらせん状に繋ぐ内筒案内路で構成されていることにある。
【０００９】
このように構成した本発明の特徴によれば、洗浄装置は、内部搬送手段が往路搬送羽における前記他方側の端部と内筒体における受入口とを外筒体の回転方向に沿ってらせん状に繋ぐ内筒案内路で構成されているため、外筒体内を搬送された被洗浄物を外筒体の回転駆動によって連続的に漏れなく内筒体内に導くことができる。この場合、内筒体案内路は、孔がない板材で構成されていてもよいし、メッシュまたは多数の貫通孔が形成されたパンチングプレートで構成されていてもよい。
【００１０】
また、本発明の他の特徴は、前記洗浄装置において、内筒案内路における幅方向両端部に往路搬送羽と内筒体における受入口との間に沿って内筒案内路の路面に対して起立する規制壁をそれぞれ備えることにある。
【００１１】
このように構成した本発明の特徴によれば、洗浄装置は、内筒案内路における幅方向両端部に往路搬送羽と内筒体における受入口との間に沿って内筒案内路から起立する規制壁をそれぞれ備えているため、内筒案内路に導かれた被洗浄物を内筒案内路面から脱漏させることなく内筒体に導くことができる。
【００１２】
また、本発明の他の特徴は、前記洗浄装置において、外筒体および内筒体の少なくとも一方は、筒体側面がメッシュまたは多数の貫通孔が形成されたパンチングプレートで構成されていることにある。
【００１３】
このように構成した本発明の特徴によれば、洗浄装置は、外筒体および内筒体の少なくとも一方の側面がメッシュまたは多数の貫通孔が形成されたパンチングプレートで構成されているため、外筒体および／または内筒体を洗浄工程に用いた場合には、洗浄液の流通性を向上せさせることができるとともに被洗浄物の搬送方向下流側への洗浄液の偏りを防止して洗浄力を高めることができる。また、洗浄装置は、外筒体および／または内筒体を乾燥工程に用いた場合には、洗浄液の水切りを良好にすることができるとともに空気の流動性が向上するため、被洗浄物の乾燥を促進させることができる。また、洗浄装置は、洗浄装置は、外筒体および／または内筒体を乾燥工程に用いた場合には、洗浄装置全体の軽量化を図ることができる。
【００１４】
また、本発明の他の特徴は、前記洗浄装置において、内筒体は、外筒体における前記他方側から前記一方側に向かって被洗浄物を搬送するための復路搬送羽が内周面にらせん状に設けられていることにある。
【００１５】
このように構成した本発明の特徴によれば、洗浄装置は、外筒体における前記他方側から前記一方側に向かって被洗浄物を搬送するための復路搬送羽が内筒体の内周面にらせん状に設けられているため、内筒体内の被洗浄物を精度良く効率的に搬送することができる。
【００１６】
また、本発明の他の特徴は、前記洗浄装置において、内筒体を有する外筒体を複数備え、複数の外筒体のうちの２つの外筒体間で、一方の外筒体である第１外筒体における内筒体から排出される被洗浄物を他方の外筒体である第２外筒体に導く外部搬送手段を備えることにある。
【００１７】
このように構成した本発明の特徴によれば、洗浄装置は、内筒体を有する外筒体を複数備えるとともに、第１外筒体で処理された被洗浄物を第２外筒体に搬送する外部搬送手段を備えているため、より大量の被洗浄物を効率的に洗浄することができる。
【００１８】
また、本発明の他の特徴は、前記洗浄装置において、第１外筒体における内筒体よりも下方の部分を洗浄液に浸漬するための洗浄槽と、第２外筒体内の被洗浄物を乾燥させる乾燥手段とを備え、第１外筒体は、洗浄槽に収容された状態で第２外筒体よりも上方に配置されており、第２外筒体は、第１外筒体の下方に配置されており、外部搬送手段は、第１外筒体における内筒体から自由落下する被洗浄物を受け入れて第２外筒体に導くことにある。
【００１９】
このように構成した本発明の特徴によれば、洗浄装置は、第１外筒体の下方に第２外筒体が配置されて第１外筒体における外筒体が被洗浄物の洗浄工程を構成するとともに第１外筒体における内筒体および第２外筒体における外筒体および内筒体がそれぞれ乾燥工程を構成している。すなわち、洗浄装置は、被洗浄物の洗浄工程および乾燥工程をそれぞれ担う第１外筒体と第２外筒体とが互いに上下方法に配置されているため、平面的な設置スペースの必要量を抑えながら大量の被洗浄物を効率的に洗浄することができる。また、洗浄装置は、第１外筒体から排出される被洗浄物を自由落下させて第２外筒体に導くため、自由落下の過程および落下時の衝撃によって洗浄液の水切りを効果的に行うことができる。
【図面の簡単な説明】
【００２０】
【図１】本発明に係る洗浄装置の構成の概略を示した断面図である。
【図２】図１に示す洗浄装置の作動を制御するための制御システムのブロック図である。
【図３】図１に示す洗浄装置における第１外筒体の構成の概略を示した断面図である。
【図４】図３および図６にそれぞれ示す４−４線から見た撹拌片の構成を概略的に示した断面図である。
【図５】内筒案内路の構成を説明するために図３および図６にそれぞれ示す５−５線から見た第１外筒体および第２外筒体の構成を概略的に示した断面図である。
【図６】図１に示す洗浄装置における第２外筒体の構成の概略を示した断面図である。
【発明を実施するための形態】
【００２１】
以下、本発明に係る洗浄装置の一実施形態について図面を参照しながら説明する。図１は、本発明に係る洗浄装置１００の構成の概略を示した断面図である。また、図２は、図１に示す洗浄装置１００の作動を制御するための制御システムのブロック図である。なお、本明細書において参照する図は、本発明の理解を容易にするために一部の構成要素を誇張して表わすなど模式的に表している。このため、各構成要素間の寸法や比率などは異なっていることがある。この洗浄装置１００は、パチンコ型スロットマシン（所謂パチスロ機）で使用するコインを被洗浄物ＷＫとして洗浄する機械装置である。
【００２２】
（洗浄装置１００の構成）
この洗浄装置１００は、第１外筒体１１０および第２外筒体１４０をそれぞれ備えている。第１外筒体１１０は、詳しくは図３に示すように、被洗浄物ＷＫの洗浄処理および水切り処理をそれぞれ行う機械装置であり、金属製の円筒体で構成されている。より具体的には、第１外筒体１１０は、外筒本体１１１の内側領域に往路搬送羽１１３、攪拌片１１４、内筒案内路１１５および仕切筒１１７をそれぞれ備えている。
【００２３】
外筒本体１１１は、被洗浄物ＷＫを受け入れて保持するとともに第１外筒体１１０の外表面を構成する部品であり、金属製（例えば、ステンレス材）の線材を網状に組んだメッシュ材を円筒状に形成して構成されている。この外筒本体１１１における両端部は、各縁部分に金属材（例えば、ステンレス材）からなる平板リング状の縁材１１１ａ，１１１ｂがそれぞれ固着されており、これらの縁材１１１ａ，１１１ｂよりも内側領域がそれぞれ開口して構成されている。この場合、縁材１１１ａが設けられた外筒本体１１１の端部の開口部分が被洗浄物ＷＫを外筒本体１１１内に投入するための投入口１１１ｃである。また、縁材１１１ｂは、後述する規制壁１１６ｂの一部を構成している。なお、図１および図３においては、外筒本体１１１の表面の一部のみ丸円内の網目で示している。
【００２４】
一方、外筒本体１１１における投入口１１１ｃ側の外周面には、支持リング１１２が固着されている。支持リング１１２は、第１外筒体１１０における投入口１１１ｃ側を支持する支持ローラ１３２上に載置される部品であり金属材（例えば、ステンレス材）を平板リング状に形成して構成されている。
【００２５】
往路搬送羽１１３は、第１外筒体１１０の一方の端部側に形成された投入口１１１ｃから第１外筒体１１０内に投入された被洗浄物ＷＫを他方の端部側に搬送するための部品であり、金属製（例えば、ステンレス材）の帯状体を外筒本体１１１の内周面にらせん状に取り付けて構成されている。
【００２６】
攪拌片１１４は、図４に示すように、外筒本体１１１内に投入された被洗浄物ＷＫを外筒本体１１１の回転駆動によって持ち上げた後、開放して下方に落下させることによって外筒本体１１１内にて被洗浄物ＷＫを撹拌するための部品であり、外筒本体１１１の内周面から突出する金属製（例えば、ステンレス材）の板状体で構成されている。この場合、撹拌片１１４は、先端部が外本体１１１の回転方向前側に向かって屈曲して形成されている。
【００２７】
内筒案内路１１５は、図５に示すように、往路搬送羽１１３によって第１外筒体１１０内を搬送された被洗浄物ＷＫを後述する内筒体１２０に導くための部品であり、往路搬送羽１１３における他方側の端部と内筒体１２０における受入口１２４とを第１外筒体１１０の回転方向に沿ってらせん状に延びて繋ぐ板状体で構成されている。この内筒案内路１１５における幅方向の両端部には、往路搬送羽１１３と内筒体１２０における受入口１２４との間に沿って内筒案内路１１５に対してそれぞれ起立する規制壁１１６ａ，１１６ｂが設けられている。なお、図５においては、外筒本体１１１（１４１）の回転方向を破線矢印で示すとともに、内筒案内路１１５（１４５）によって往路搬送羽１１３（１４４）から受入口１２４（１５４）に導かれる被洗浄物ＷＫの経路を二点鎖線矢印で示している。
【００２８】
これらのうち、規制壁１１６ａは、往路搬送羽１１３における他方側の端部と内筒案内路１１５との間で第１外筒体１１０内を径方向に延びる平板リング状に形成されている。この規制壁１１６ａは、往路搬送羽１１３における他方側の端部が面する部分に通り孔１１６ｃが形成されており、往路搬送羽１１３によって搬送された被洗浄物ＷＫがこの通り孔１１６ｃを介して内筒案内路１１５に導かれるようになっている。また、この規制壁１１６ａは、外周部が外筒本体１１１の内周面に固着されている。一方、規制壁１１６ｂは、前記外筒本体１１１における縁材１１１ｂと内筒体１２０におけるフランジ体１２３とで構成されている。
【００２９】
規制壁１１６ａにおける内筒案内路１１５が面する反対側の面には、仕切筒１１７が固着されている。仕切筒１１７は、第１外筒体１１０の内部空間内において内筒体１２０を収容する領域を仕切るための部品であり、金属製（例えば、ステンレス材など）の板材を筒状に形成して構成されている。この仕切筒１１７は、一方（図示左側）の端部が規制壁１１６ａに固着された状態で他方（図示右側）の端部が第１外筒体１１０の投入口１１１ｃまで延びて形成されている。そして、この仕切筒１１７における前記他方の端部側には、投入量調整体１１８が形成されている。
【００３０】
投入量調整体１１８は、投入口１１１ｃから投入された被洗浄物ＷＫが外筒本体１１１の底部に供給される量を規制する部分であり、仕切筒１１７の外表面を周方向に沿って所定要領の升部１１８ａに区画するための周方向仕切板１１８ｂおよび軸方向仕切板１１８ｃ，１１７ｄによって構成されている。これらのうち、周方向仕切板１１８ｂは、仕切筒１１７の外表面を周方向に沿って区画するための板状部材であり、仕切筒１１７の周方向にそって等間隔に固着されている。また、軸方向仕切板１１８ｃ，１１８ｄは、仕切筒１１７の外表面を軸方向に沿って区画するための板状部材であり、仕切筒１１７の径方向外側に向かって延びる円板状に形成されている。本実施形態においては、投入量調整体１１８は、仕切筒１１７の外表面を周方向に沿って８つの升部１１８ａを区画して形成している。
【００３１】
第１外筒体１１０の内部には、内筒体１２０が設けられている。内筒体１２０は、被洗浄物ＷＫの乾燥工程の一部である水切り工程を行う機械装置であり、金属製の円筒体で構成されている。より具体的には、内筒体１２０は、内筒本体１２１の内側領域に復路搬送羽１２６および攪拌片１２７をそれぞれ備えている。
【００３２】
内筒本体１２１は、被洗浄物ＷＫを受け入れて保持するとともに内筒体１２０の外表面を構成する部品であり、外筒本体１１１よりも長い円筒体で構成されている。この場合、内筒本体１２１は、外筒本体１１１の内部に収容される部分が金属製（例えば、ステンレス材）の線材を網状に組んだメッシュ材で構成されたメッシュ部１２１ａと、外筒本体１１１の投入口１１１ｃよりも若干内側に入った部分および外筒本体１１１の外部に露出する部分が金属製（例えば、ステンレス材）の板材で構成され板部１２１ｂとで構成されている。この内筒本体１２１は、一方（図示右側）の端部が開口して排出口１２２が形成されているとともに、他方（図示左側）の端部がフランジ板１２３によって閉塞されている。また、内筒本体１２１における前記他方（図示左側）の端部側の側面には、内筒案内路１１５の端部が繋がった状態で開口する受入口１２４が形成されている。なお、図１および図３においては、内筒本体１２１の表面の一部のみ丸円内の網目で示している。
【００３３】
フランジ板１２３は、第１外筒体１１０に取り付けられて後述する駆動モータ１７０からの回転駆動力を受けて内筒本体１２１および第１外筒体１１０を回転させるための部品であり、金属材（例えば、ステンレス材）を円板状に形成して構成されている。すなわち、内筒体１２０は第１外筒体１１０に一体的に連結されている。このフランジ板１２３には、フランジ板１２３の中心部から突出して延びる駆動軸１２５が設けられている。駆動軸１２５は、駆動モータ１７０からの回転駆動力を受けて回転駆動する軸状の部品であり、先端部に従動ギア１２５ａが設けられるとともにこの従動ギア１２５ａに掛けられたチェーン１７２を介して駆動モータ１７０に連結されている。また、この駆動軸１２５は、中間部に設けられた軸受１２５ｂを介して洗浄槽１３０に回転自在に固定されている。なお、本実施形態においては、フランジ板１２３は、外筒本体１１１に対して図示しないボルトによって固定されている。
【００３４】
復路搬送羽１２６は、内筒本体１２１の前記他方（図示左側）の端部側に形成された受入口１２４から内筒体１２０内に投入された被洗浄物ＷＫを排出口１２２側に搬送するための部品であり、金属製（例えば、ステンレス材）の帯状体を内筒本体１２１の内周面にらせん状に取り付けて構成されている。また、攪拌片１２７は、内筒体１２０内に投入された被洗浄物ＷＫを内筒本体１２１の回転駆動によって持ち上げた後、開放して下方に落下させることによって内筒本体１２１内にて被洗浄物ＷＫを撹拌するための部品であり、内筒本体１２１の内周面から突出する金属製（例えば、ステンレス材）の板状体で構成されている。この場合、撹拌片１２７は、先端部が内筒本体１２１の回転方向前側に向かって屈曲して形成されている。
【００３５】
第１外筒体１１０は、内筒本体１２１における排出口１２２および駆動軸２５をそれぞれ露出させた状態で洗浄槽１３０内に収容されている。洗浄槽１３０は、第１外筒体１１０における内筒体１２０より下方部分を洗浄液ＣＦに浸漬した状態で第１外筒体１１０を収容する金属製（例えば、ステンレス製）容器であり、主として、槽部１３１および蓋部１３４をそれぞれ備えて構成さている。これらのうち、槽部１３１は、被洗浄物ＷＫに付着した汚れを落とす洗浄液ＣＦを貯留するとともに第１外筒体１１０の下半分を収容する方形箱状の容器である。この槽部１３１には、底部に第１外筒体１１０における支持リング１１２を回転自在に支持する支持ローラ１３２が設けられているとともに、貯留した洗浄液ＣＦを排出するための排水弁１３３が設けられている。なお、図１においては、洗浄液ＣＦの液面を二点鎖線で示している。
【００３６】
一方、蓋部１３４は、第１外筒体１１０の上半分を覆って槽部１３１上に載置される方形箱状の蓋である。この蓋部１３４には、槽部１３１内に洗浄液ＣＦを導入するための給水弁１３５および洗浄槽１３０内の空気を外部に排気するための排気ファン１３６をそれぞれ備えている。また、この蓋部１３４には、上面に制御装置３００が載置されるとともに、第１外筒体１１０における排出口１２２側が露出する上部に投入ホッパ１３７がそれぞれ設けられている。投入ホッパ１３７は、大量の被洗浄物ＷＫを受け入れて第１外筒体１１０における投入量調整体１１８に導く漏斗状に形成された金属製（例えば、ステンレス材）の容器である。この投入ホッパ１３７は、第１外筒体１１０の投入口１１１ｃより上方に配置されて上方に向かって開口して形成されている。そして、この洗浄槽１３０は、第２外筒体１４０を収容する乾燥槽１６０上に載置されて支持されている。
【００３７】
第２外筒体１４０は、第１外筒体１１０によって洗浄処理および水切り処理された被洗浄物ＷＫに対して乾燥処理を行う機械装置であり、金属製の円筒体で構成されている。この第２外筒体１４０は、前記第１外筒体１１０と全く同様に構成されている。したがって、第２外筒体１４０における各構成部分については、図５および図６にそれぞれ示すように、第１外筒体１１０の各構成部分に付した符号に対応する１４０番台の符号を付すとともに、この第２外筒体１４０内に設けられる内筒体１５０における各構成部分について前記内筒体１２０の各構成部分に付した符号に対応する１５０番台の符号を付して、これらの説明を省略する。なお、図１、図５および図６においては、外筒本体１４１および内筒本体１５１の各表面の一部のみ丸円内の網目で示している。
【００３８】
乾燥槽１６０は、第２外筒体１４０を収容する金属製（例えば、ステンレス製）の容器であり、主として、槽部１６１および蓋部１６４をそれぞれ備えて構成さている。これらのうち、槽部１６１は、第２外筒体１４０の下半分を収容する方形箱状の容器である。この槽部１６１には、底部に第２外筒体１４０における支持リング１４２を回転自在に支持する支持ローラ１６２および被洗浄物ＷＫの乾燥を促すためのヒータ１６３がそれぞれ設けられている。また、槽部１６２における下面には、駆動モータ１７０が吊り下げられた状態で支持されている。
【００３９】
一方、蓋部１６４は、第２外筒体１４０の上半分を覆って槽部１６１上に載置される方形箱状の蓋である。この蓋部１６４には、第２外筒体１４０における排出口１５２側が露出する上部に中間ホッパ１６５が設けられている。中間ホッパ１６５は、第１外筒体１１０の排出口１２２から排出された被洗浄物ＷＫを受け入れて第２外筒体１５０における投入量調整体１４８に導く漏斗状に形成された金属製（例えば、ステンレス材）の容器である。この中間ホッパ１６５は、第１外筒体１１０の排出口１２２の下方かつ投入口１４１ｃより上方に配置されて排出口１２２に向かって開口して形成されている。この乾燥槽１６０は、支持脚１８０上に支持されている。
【００４０】
駆動モータ１７０は、第１外筒体１１０および第２外筒体１４０をそれぞれ回転駆動するための電動機であり、制御装置３００によって作動が制御される。すなわち、この駆動モータ１７０が本発明に係る筒体回転駆動手段に相当する。この駆動モータ１７０の駆動軸には、駆動ギア１７１が取り付けられており、この駆動ギア１７１に対して従動ギア１２５ａ，１５５ａがチェーン１７２を介してそれぞれ連結されている。
【００４１】
支持脚１８０は、洗浄装置１００の底部に設けられて乾燥槽１６０を支持するとともに筐体１９０および回収箱２００をそれぞれ支持する所謂イケール状に形成された金属製（例えば、鋼材）部品であり、乾燥槽１６０における槽部１６１の四隅にそれぞれ固着されている。この支持脚１８０の下面には、洗浄装置１００を移動可能とするためのキャスタ１８１がそれぞれ設けられている。
【００４２】
筐体１９０は、洗浄槽１３０、乾燥槽１６０、中間ホッパ１６５、駆動モータ１７０、支持脚１８０および制御装置３００をそれぞれ収容して洗浄装置１００の外表面を構成するカバー部品であり、金属板（例えば、アルミニウム材）を箱型に組んで構成されている。この筐体１９０における上面には、洗浄装置１００の前側および後側に前記投入ホッパ１３７および前記排気ファン１３６がそれぞれ開口するとともに、これらの投入ホッパ１３７と排気ファン１３６の各開口部の間に操作パネル３０１が設けられている。また、筐体１９０は、支持脚１８０に支持されているとともに四方の側面、すなわち、前面パネル、背面パネルおよび左右の各側面パネルが取り外し可能に構成されている。
【００４３】
回収箱２００は、第２外筒体１４０の排出口１５２から排出された被洗浄物ＷＫを受け入れて貯留する金属製（例えば、ステンレス材）の容器である。この回収箱２００は、第２外筒体１４０の排出口１５２の下方の支持脚１８０上に載置されている。
【００４４】
制御装置３００は、マイクロコンピュータによって構成されており、図示しない制御プログラムに従って駆動モータ１７０、排気ファン１３６およびヒータ１６３の各作動を制御する。この制御装置３００は、制御装置３００の作動状態を表示するとともに洗浄装置１００への使用者からの指示を入力する操作パネル３０１を備えている。
【００４５】
（洗浄装置１００の作動）
次に、上記のように構成した洗浄装置１００の作動について説明する。洗浄装置１００の使用者は、まず、筐体１９０の背面パネルを外して給水弁１３５に図示しない給水ホースを繋いで洗浄槽１３０内に洗浄液ＣＦを注水する。この場合、外筒本体１１１は、メッシュ材で構成されているため、洗浄槽１３０内に洗浄液ＣＦが注入されることによって外筒本体１１１内にも洗浄液ＣＦが進入して外筒本体１１１の内部が底部から浸漬していく。ここで使用者は、洗浄液ＣＦの水位が仕切筒１１７の底部に達しない程度の水量の洗浄液ＣＦを注水する。
【００４６】
次に、使用者は、洗浄装置１００における図示しない電源スイッチをＯＮにした後、操作パネル３０１を操作することによって駆動モータ１７０、排気ファン１３６およびヒータ１６３の各作動を開始させる。この場合、使用者は、操作パネル３０１を操作することにより、駆動モータ１７０、排気ファン１３６およびヒータ１６３の各作動量を適宜調整することができる。これらの操作によって洗浄装置１００は、駆動モータ１７０の作動開始によって第１外筒体１１０および第２外筒体１４０が回転駆動を開始するとともに、排気ファン１３６の作動開始による洗浄槽１３０内の換気およびヒータ１６３の作動開始による乾燥槽１６０内の加温がそれぞれ開始される。
【００４７】
次に、使用者は、洗浄対象となる被洗浄物ＷＫを用意して投入ホッパ１３７内に投入する。投入ホッパ１３７内に投入された被洗浄物ＷＫは、投入量調整体１１８に供給される。この場合、投入量調整体１１８は、駆動モータ１７０の駆動力によって回転駆動しているため、投入ホッパ１３７から供給される被洗浄物ＷＫを８つの升部１１８ａごとに外筒本体１１１内の底部に導く。
【００４８】
外筒本体１１１内の底部に導かれた被洗浄物ＷＫは、外筒本体１１１の回転駆動による往路搬送羽１１３の回転駆動によって外筒本体１１１の底部を内筒案内路１１５側に搬送される。この場合、外筒本体１１０内における仕切筒１１７よりも下方の領域が洗浄液ＣＦで満たされているため、外筒本体１１１内の底部に導かれた被洗浄物ＷＫは洗浄液ＣＦ中に浸漬した状態で内筒案内路１１５側に搬送される。また、この場合、外筒本体１１１の内周面には撹拌片１１４が設けられているため、外筒本体１１１内の被洗浄物ＷＫは外筒本体１１１の回転駆動とともに上方への持ち上げとその後の下方への落下とを繰り返しながら内筒案内路１１５側に搬送される。これらにより、被洗浄物ＷＫは、表面に付着したゴミや汚れが除去される。
【００４９】
外筒本体１１１の底部を内筒案内路１１５側に搬送された被洗浄物ＷＫは、規制壁１１６ａの通り孔１１６ｃを介して内筒案内路１１５に導かれる。内筒案内路１１５に導かれた被洗浄物ＷＫは、内筒案内路１１５の回転駆動に従って内筒体１２０に向かってらせん状に導かれる。この場合、内筒案内路１１５は、幅方向両側に規制壁１１６ａ，１１６ｂが設けられているため、被洗浄物ＷＫを漏らさず内筒体１２０に導くことができる。
【００５０】
内筒体１２０に導かれた被洗浄物ＷＫは、受入口１２４を介して内筒本体１２１内に投入される。内筒本体１２１内に投入された被洗浄物ＷＫは、内筒本体１２１の回転駆動による復路搬送羽１２６の回転駆動によって内筒本体１２１の底部を排出口１２２側に搬送される。この場合、内筒本体１２１の内周面には、攪拌片１２７が設けられているため、内筒本体１２１内の被洗浄物ＷＫは内筒本体１２１の回転駆動とともに上方への持ち上げとその後の下方への落下とを繰り返しながら排出口１２２側に搬送される。これにより、被洗浄物ＷＫは、表面に付着した洗浄液ＣＦの水切りが行なわれる。
【００５１】
内筒本体１２１の排出口１２２に導かれた被洗浄物ＷＫは、排出口１２２から排出された後、自由落下して中間ホッパ１６５内に導かれる。この場合、被洗浄物ＷＫは、中間ホッパ１６５内に衝突した際の衝撃によって洗浄液ＣＦの水切り再度行われることになる。中間ホッパ１６５内に導かれた被洗浄物ＷＫは、第２外筒体１４０における投入量調整体１４８に供給される。この場合、投入量調整体１４８は、前記投入量調整体１１８と同様に、中間ホッパ１６５から供給される被洗浄物ＷＫを８つの升部１４８ａごとに外筒本体１４１内の底部に導く。
【００５２】
外筒本体１４１内の底部に導かれた被洗浄物ＷＫは、外筒本体１４１の回転駆動による往路搬送羽１４３の回転駆動によって外筒本体１４１の底部を内筒案内路１４５側に搬送される。この場合、外筒本体１４１の内周面には撹拌片１４４が設けられているため、外筒本体１４１内の被洗浄物ＷＫは外筒本体１４１の回転駆動とともに上方への持ち上げとその後の下方への落下とを繰り返しながら内筒案内路１４５側に搬送される。また、この場合、乾燥槽１６０内における外筒本体１４１の下方にはヒータ１６３が設けられているため、外筒本体１４１内の底部に導かれた被洗浄物ＷＫはヒータ１６３によって加熱されながら内筒案内路１４５側に搬送される。これらにより、被洗浄物ＷＫは、表面に付着した洗浄液ＣＦの乾燥が促進される。
【００５３】
外筒本体１４１の底部を内筒案内路１４５側に搬送された被洗浄物ＷＫは、規制壁１４６ａの通り孔１４６ｃを介して内筒案内路１４５に導かれる。内筒案内路１４５に導かれた被洗浄物ＷＫは、前記内筒案内路１１５と同様に、内筒案内路１４５の回転駆動に従って内筒体１５０に向かってらせん状に導かれる。この場合においても、内筒案内路１４５は、幅方向両側に規制壁１４６ａ，１４６ｂが設けられているため、被洗浄物ＷＫを漏らさず内筒体１５０に導くことができる。
【００５４】
内筒体１５０に導かれた被洗浄物ＷＫは、受入口１５４を介して内筒本体１５１内に投入される。内筒本体１５１内に投入された被洗浄物ＷＫは、内筒本体１５１の回転駆動による復路搬送羽１５６の回転駆動によって内筒本体１５１の底部を排出口１５２側に搬送される。この場合、内筒本体１５１の内周面には、攪拌片１５７が設けられているため、内筒本体１５１内の被洗浄物ＷＫは内筒本体１５１の回転駆動とともに上方への持ち上げとその後の下方への落下とを繰り返しながら排出口１５２側に搬送される。これにより、被洗浄物ＷＫは、表面に付着した洗浄液ＣＦの乾燥が促進される。
【００５５】
内筒本体１５１の排出口１５２に導かれた被洗浄物ＷＫは、排出口１５２から排出された後、自由落下して回収箱２００内に導かれる。すなわち、投入ホッパ１３７に投入された被洗浄物ＷＫは、第１外筒体１１０における洗浄および水切りの各工程を経た後、第２外筒体１４０における乾燥工程を経てすべての被洗浄物ＷＫが回収箱２００によって回収される。
【００５６】
したがって、投入ホッパ１３７に投入したすべての被洗浄物ＷＫが回収箱２００に回収された場合には、使用者は、操作パネル３０１を操作することによって駆動モータ１７０、排気ファン１３６およびヒータ１６３の各作動を停止させた後、洗浄装置１００における図示しない電源スイッチをＯＦＦにして被洗浄物ＷＫの洗浄作業を終了することができる。なお、使用者は、筐体１９０の背面パネルを外して排水弁１３３に図示しない排水ホースを繋いで洗浄槽１３０内の洗浄液ＣＦを排水することができる。
【００５７】
上記作動説明からも理解できるように、上記実施形態によれば、洗浄装置１００は、被洗浄物ＷＫが投入される第１外筒体１１０および第２外筒体１４０の各内部に内筒案内路１１５，１４５をそれぞれ介して内筒体１２０，１５０が設けられているため、被洗浄物ＷＫは第１外筒体１１０内および第２外筒体１４０内をそれぞれ搬送された後内筒体１２０，１５０内をそれぞれ搬送されることになる。すなわち、洗浄装置１００は、被洗浄物ＷＫの搬送路を多重管構造とすることによって被洗浄物ＷＫの搬送路の設置スペースの増大を抑えつつ被洗浄物ＷＫの搬送路を延長することができる。この場合、洗浄装置１００は、延長した被洗浄物ＷＫの搬送路を被洗浄物ＷＫの洗浄工程や同洗浄工程後の乾燥工程に用いることができる。これにより洗浄装置１００は、装置構成をコンパクトにしつつ大量の被洗浄物ＷＫを効率的に処理することができる。
【００５８】
さらに、本発明の実施にあたっては、上記実施形態に限定されるものではなく、本発明の目的を逸脱しない限りにおいて種々の変更が可能である。なお、下記変形例の説明においては、参照する各図における上記実施形態と同様の構成部分に同じ符号または対応する符号を付すとともに直接関わらない部分については一部の構成を適宜省略して示して、それらの説明も省略する。また、各図において、破線矢印は表面弾性波を示す。
【００５９】
例えば、上記実施形態においては、洗浄装置１００は、２つの外筒体、すなわち、第１外筒体１１０および第２外筒体１４０をそれぞれ備えて構成されている。しかし、洗浄装置１００が備える外筒体は、被洗浄物ＷＫの洗浄仕様に応じて適宜設定されるものであり、必ずしも上記実施形態に限定されるものでない。したがって、洗浄装置１００は、１つの外筒体、例えば、第１外筒体１１０のみを備えて構成することができほか、３つ以上の外筒体、例えば、第１外筒体１１０および第２外筒体１４０に加えて第３外筒体や第４外筒体を備えて構成することができる。
【００６０】
また、上記実施形態においては、洗浄装置１００は、２つの外筒体、すなわち、第１外筒体１１０と第２外筒体１４０とを互いに上下方向に配置して構成した。しかし、洗浄装置１００は、第１外筒体１１０と第２外筒体１４０を互いに水平方向に配置して構成することもできる。
【００６１】
また、上記実施形態においては、内筒体１２０，１５０にそれぞれ復路搬送羽１２６，１５６を備えて構成した。しかし、内筒体１２０，１５０は、復路搬送羽１２６，１５６を省略して構成することができる。この場合、内筒体１２０，１５０内の各被洗浄物ＷＫは、内筒案内路１１５，１４５によって供給される被洗浄物ＷＫに押されて内筒体１２０，１５０内を搬送される。また、この場合、内筒体１２０，１５０は、排出口１２２，１５２側を受入口１２４，１５４よりも下方に位置するように傾斜させることによって被洗浄物ＷＫを省エネルギで円滑に排出口１２２，１５２側に搬送することができる。
【００６２】
また、上記実施形態においては、洗浄装置１００は、帯状の板材をらせん状に形成した内筒案内路１１５，１４５によって外筒本体１１１，１４１内の被洗浄物ＷＫを内筒本体１２１，１５１の受入口１２４，１５４にそれぞれ導くように構成した。すなわち、内筒案内路１１５，１４５が本発明に係る内部搬送手段に相当する。しかし、内部搬送手段は、往路搬送羽１１３，１４３によって搬送された被洗浄物ＷＫを受入口１２４，１５４にそれぞれ導くように構成されていれば、必ずしも上記実施形態に限定されるものではない。したがって、内部搬送手段は、内筒案内路１１５，１４５以外の構成、例えば、外筒本体１１１，１４１の内周面に攪拌片１１４，１２７と同等な張出片を設けてこの張出片によって外筒本体１１１，１４１内の被洗浄物ＷＫを持ち上げて受入口１２４，１５４に向けて落下させるように構成することもできる。
【００６３】
また、上記実施形態においては、洗浄装置１００は、駆動モータ１７０の駆動力を駆動ギア１７１、チェーン１７２および従動ギア１２５ａ，１５５ａを介してそれぞれ伝達して第１第１外筒体１１０および第２外筒体１４０をそれぞれ回転駆動するように構成した。しかし、洗浄装置１００は、駆動モータ１７０の駆動力をベルトとプーリによるベルト伝達機構によって第１第１外筒体１１０および第２外筒体１４０をそれぞれ回転駆動するように構成することもできる。これによれば、洗浄装置１００は、静粛性高く作動させることができる。
【００６４】
また、上記実施形態においては、外筒本体１１１，１４１および内筒本体１２１，１５１をそれぞれメッシュ材で構成した。これにより、洗浄装置１００は、外筒本体１１１，１４１および内筒本体１２１，１５１の各工程（洗浄工程および乾燥工程）において被洗浄物ＷＫの貼り付きを防止して洗浄処理および乾燥処理を効果的に行うことができる。しかし、外筒本体１１１，１４１および内筒本体１２１，１５１は、メッシュ材以外の材料、例えば、パンチングプレートや貫通孔が形成されていない板材で構成することもできる。
【００６５】
また、上記実施形態においては、第１外筒体１１０と第２外筒体１４０との間に中間ホッパ１６５を配置して第１外筒体１１０から排出された被洗浄物ＷＫを第２外筒体１４０に導くようにした。すなわち、中間ホッパ１６５が本発明に係る外部搬送手段に相当する。しかし、外部搬送手段は、第１外筒体１１０から排出された被洗浄物ＷＫを第２外筒体１４０に導くことができればよく、必ずしも上記実施形態に限定されるものではない。したがって、外部搬送手段は、例えば、第１外筒体１１０から排出された被洗浄物ＷＫを受け入れて第２外筒体１４０に導くホースで構成することもできる。
【００６６】
また、上記実施形態においては、被洗浄物ＷＫはコインとした。しかし、被洗浄物ＷＫは、手で把持できる程度の大きさの小物物品を広く採用することができる。具体的には、被洗浄物ＷＫとして機械部品（例えば、ネジ、リベット、歯車など）、金属球（例えば、パチンコ玉、ボールペンのペン先の鋼球など）または円板体（コイン、硬貨、メダルなど）などを採用することができる。
【符号の説明】
【００６７】
ＷＫ…被洗浄物、ＣＦ…洗浄液、
１００…洗浄装置、
１１０…第１外筒体、１１１…外筒本体、１１１ａ，１１１ｂ…縁材、１１１ｃ…投入口、１１２…支持リング、１１３…往路搬送羽、１１４…攪拌片、１１５…内筒案内路、１１６a，１１６ｂ…規制片、１１６ｃ…通り孔、１１７…仕切筒、１１８…投入量調整体、１１８ａ…升部、１１８ｂ…周方向仕切板、１１８ｃ…軸方向仕切板，１１８ｄ…軸方向仕切板、
１２０…内筒体、１２１…内筒本体、１２１ａ…メッシュ部、１２１ｂ…板部、１２２…排出口、１２３…フランジ板、１２４…受入口、１２５…駆動軸、１２５ａ…従動ギア、１２５ｂ…軸受け、１２６…復路搬送羽、１２７…攪拌片、
１３０…洗浄槽、１３１…槽部、１３２…支持ローラ、１３３…排水弁、１３４…蓋部、１３５…給水弁、１３６…排気ファン、１３７…投入ホッパ、
１４０…第２外筒体、１４１…外筒本体、１４１ａ，１４１ｂ…縁材、１４１ｃ…投入口、１４２…支持リング、１４３…往路搬送羽、１４４…攪拌片、１４５…内筒案内路、１４６a，１４６ｂ…規制片、１４６ｃ…通り孔、１４７…仕切筒、１４８…投入量調整体、１４８ａ…升部、１４８ｂ…周方向仕切板、１４８ｃ…軸方向仕切板，１４８ｄ…軸方向仕切板、
１５０…内筒体、１５１…内筒本体、１５１ａ…メッシュ部、１５１ｂ…板部、１５２…排出口、１５３…フランジ板、１５４…受入口、１５５…駆動軸、１５５ａ…従動ギア、１５５ｂ…軸受け、１５６…復路搬送羽、１５７…攪拌片、
１６０…乾燥槽、１６１…槽部、１６２…支持ローラ、１６３…ヒータ、１６４…蓋部、１６５…中間ホッパ、
１７０…駆動モータ、１７１…駆動ギア、１７２…チェーン、
１８０…支持脚、１８１…キャスタ、
１９０…筐体、
２００…回収箱、
３００…制御装置、３０１…操作パネル。
【図１】
2015208730.tif 000003
【図２】
2015208730.tif 000004
【図３】
2015208730.tif 000005
【図４】
2015208730.tif 000006
【図５】
2015208730.tif 000007
【図６】
2015208730.tif 000008